(57)【特許請求の範囲】
【請求項１】
データメッセージを受信しビジーバーストを送信するためのトランシーバであって、
干渉データ及び前記データメッセージの重ね合わせを含む受信信号を受信するためのレシーバ（１００）と、
前記ビジーバーストを送信するためのトランスミッタ（１０２）と、
前記受信信号からの前記干渉データを少なくとも部分的に除去して前記データメッセージを得るための干渉除去装置（１０４）と、
ビジーバーストスロットに関連するメッセージスロット内の前記データメッセージの受信に成功したとき、前記ビジーバーストスロットにおいて前記ビジーバーストをビジーバースト電力を用いて送信するように前記トランスミッタを制御するためのコントローラ（１０６）と、
を備え、
前記コントローラは、前記ビジーバーストが異なる複数の規定の状態を有する干渉除去情報を含むよう該ビジーバーストをフォーマット設定するようにさらに構成され、
第１の状態は、干渉しているトランスミッタ（２０２）に対し、該干渉しているトランスミッタによって受信された前記ビジーバースト電力が該干渉しているトランスミッタによる送信を許可しないことを示しているにもかかわらず、該干渉しているトランスミッタが前記メッセージスロットにおける送信を許可されることを示すようになっており、
第２の状態は、前記干渉しているトランスミッタによって受信された前記ビジーバースト電力が前記メッセージスロットにおける前記干渉しているトランスミッタによる送信を禁止しているとき、前記干渉しているトランスミッタが送信を許可されないことを示すようになっている、トランシーバ。
【請求項２】
前記コントローラは、前記干渉除去情報が、正確に２つの異なる状態を有する干渉許可フラグ（１１６）となるよう前記ビジーバーストをフォーマット設定するように構成され、前記２つの異なる状態は、前記受信したビジーバースト電力が前記送信が許可されないことを示しているときに前記レシーバが送信を許可されるか又は許可されないかを示す、
請求項１に記載のトランシーバ。
【請求項３】
前記コントローラ（１０６）は、前記干渉除去情報が、指定の包含領域シグナライゼーションリソース（１１８）において指定の送信電力ＰＩＮをさらに含むよう前記ビジーバーストをフォーマット設定するように構成され、前記指定の包含領域シグナライゼーションリソース（１１８）内の前記干渉しているトラスミッタにより受信された前記電力は、前記干渉しているトランスミッタ（２０２）に対し、前記指定のリソース内の前記干渉しているトランスミッタにより受信された電力が干渉除去しきい値よりも高いときにのみ該干渉しているトランスミッタが送信を許可されることを示す、請求項１又は２に記載のトランシーバ。
【請求項４】
前記コントローラは前記干渉除去装置に接続され、
前記コントローラ（１０６）は前記干渉除去装置（１０４）からの情報に応じて前記ビジーバーストをフォーマット設定するように構成される、請求項１〜３のいずれか１項に記載のトランシーバ。
【請求項５】
前記コントローラ（１０６）は、有用なメッセージの受信品質が、第１のビジーバーストスロットから第２のビジーバーストスロットまで、所定のしきい値よりも降下したとき、前記干渉除去情報を、前記第１のビジーバーストスロット内のビジーバーストには前記第１の状態にフォーマット設定するとともに、後の前記第２のビジーバーストスロット内のビジーバーストには前記第２の状態にフォーマット設定する（４１４）ように構成される、請求項１〜４のいずれか１項に記載のトランシーバ。
【請求項６】
前記コントローラ（１０６）は、前記干渉除去装置（１０４）が、該干渉除去装置がさらなる干渉しているトランスミッタからの信号に対して干渉除去の実行に成功することができないと判断すると、前記干渉除去情報を、第１のビジーバーストスロット内のビジーバーストには前記第１の状態にフォーマット設定するとともに、後の第２のビジーバーストスロット内のビジーバーストには前記第２の状態にフォーマット設定する（４１２、４１４）ように構成される、請求項１〜５のいずれか１項に記載のトランシーバ。
【請求項７】
前記コントローラ（１０６）は、
前記干渉除去装置（１０４）が、さらなる、干渉をしているトランスミッタからの信号に対して干渉除去の実行に成功することができないと判断すると、前記干渉除去情報を、第１のビジーバーストスロット内のビジーバーストには前記第１の状態にフォーマット設定するとともに、後の第２のビジーバーストスロット内のビジーバーストには前記第２の状態にフォーマット設定し、
前記干渉除去装置（１０４）が、前記有用なメッセージの受信品質が、前記第１のビジーバーストスロットから前記第２のビジーバーストスロットまで、しきい値よりも降下したと判断したとき、指定の包含領域（１１８）シグナライゼーションリソース内の電力ＰＩＮを小さな値にセットする、
ように構成される、請求項１〜６のいずれか１項に記載のトランシーバ。
【請求項８】
前記コントローラ（１０６）は、前記ビジーバーストが３つの異なるシグナライゼーションリソース（１１６、１１７、１１８）を有するよう前記トランスミッタを制御するように構成され、
前記ビジーバーストは、第１のシグナライゼーションリソース（１１７）が前記干渉除去から独立した除外領域をシグナリングするための固定送信電力に設定されるように形成され、
前記ビジーバーストは、第２のリソース（１１６）が干渉を許可するか否かをシグナリングするための正確に２つの異なる状態を有するように形成され、
前記ビジーバーストは、指定の包含領域シグナライゼーションリソースである第３のリソース（１１８）が前記干渉除去装置からの包含領域をシグナリングする情報に依拠した送信電力ＰＩＮにセットされるようにフォーマット設定される、請求項１〜７のいずれか１項に記載のトランシーバ。
【請求項９】
データメッセージを送信し、異なるトランシーバからのビジーバーストを受信するためのトランシーバであって、
データリソースに関連するビジーバーストスロットにおいて前記ビジーバーストを受信するためのレシーバ（３００）と、
前記データリソースにおいてデータを送信するためのトランスミッタ（３０２）と、
前記トランスミッタによって用いられることが意図されるデータリソースに関係するビジーバーストスロットにおいてビジーバーストが受信されたか否かを判断するためのコントローラ（３０４）と、
を備え、
前記コントローラ（３０４）は、前記ビジーバーストから干渉除去情報を抽出し、該抽出された干渉除去情報が、前記ビジーバーストの発信元のデータレシーバが前記データリソースにおいて前記トランシーバからの干渉を許容することを示すとき、前記データリソースを用いるよう前記トランスミッタを制御するように構成される、トランシーバ。
【請求項１０】
前記コントローラ（３０４）は、前記ビジーバーストの電力を測定し（４５０）、該測定された電力が所定の電力しきい値を下回っているとき、前記データリソースを用いるよう前記トランスミッタを制御するように構成される、請求項９に記載のトランシーバ。
【請求項１１】
前記コントローラ（３０４）は、前記ビジーバーストの包含領域シグナライゼーションリソース（１１８）から包含領域電力を測定する（４５８）ように構成され、
前記コントローラ（３０４）は、前記包含領域電力が包含領域しきい値を上回っているとき、前記データリソースを用いる（４６０）よう前記トランスミッタを制御するように構成される、請求項９又は１０に記載のトランシーバ。
【請求項１２】
前記コントローラ（３０４）は、前記データリソースに関係する前記ビジーバーストスロット内の前記包含領域電力が、或るビジーバーストスロットから、後のビジーバーストスロットまで降下しているとき（４７０）、前記トランスミッタによる送信のデータレートを前記データリソースに関係するデータスロットから後のデータスロットまで低減する（４７６）か、又は前記データリソースに関係する前記ビジーバーストスロット内の前記包含領域電力が、或るビジーバーストスロットから、前記後のビジーバーストスロットまで増大しているとき（４７０）、前記トランスミッタによる送信のデータレートを前記データリソースに関係するデータスロットから後のデータスロットまで増大する（４７４）ように構成される、請求項１１に記載のトランシーバ。
【請求項１３】
前記コントローラ（３０４）は、前記ビジーバーストからの干渉許可インジケーションリソース（１１６）から干渉許可情報を抽出する（４５２）ように構成され、
前記コントローラは、前記干渉許可情報が、前記データリソースに関係するデータメッセージスロットにおいて干渉が許可されることを示すとき、前記データリソースを用いる（４６０）ように前記トランスミッタを制御し、前記データリソースに関係する後のビジーバーストスロットのビジーバーストにおいて前記干渉許可情報が非干渉許可状態に変化した（４３８）場合であっても、前記データリソースを用い続けるよう前記トランスミッタを制御するように構成される、請求項９〜１２のいずれか１項に記載のトランシーバ。
【請求項１４】
前記コントローラは、単一のビジーバーストからの異なる複数のビジーバーストリソース（１１６、１１７、１１８）から情報を抽出する（４５０、４５２、４５８）ように構成され、
第１のビジーバーストリソース（１１７）に関係する情報は除外領域を示し、
第２のビジーバーストリソース（１１６）に関係する情報は干渉許可インジケーションを示し、
第３のビジーバーストリソース（１１８）に関係する情報は包含領域を示す、
請求項９〜１３のいずれか１項に記載のトランシーバ。
【請求項１５】
データメッセージを受信しビジーバーストを送信するための方法であって、
干渉データ及び前記データメッセージの重ね合わせを含む受信信号を受信するステップ（４００）と、
前記ビジーバーストを送信するステップ（４１０）と、
前記受信信号からの前記干渉データを少なくとも部分的に除去するステップであって、前記データメッセージを得る、除去するステップ（４０２）と、
ビジーバーストスロットに関連するメッセージスロット内の前記データメッセージの受信に成功したとき、前記ビジーバーストスロットにおいて前記ビジーバーストをビジーバースト電力を用いて送信するように前記送信することを制御するステップ（４０６、４１２）と、
前記ビジーバーストが異なる複数の規定の状態を有する干渉除去情報を含むよう該ビジーバーストをフォーマット設定するステップ（４０８）と、
を含み、
第１の状態は、干渉しているトランスミッタに対し、前記干渉しているトランスミッタにより受信されたビジーバースト電力が、前記干渉しているトランスミッタによる送信を許可しないことを示しているにもかかわらず、該干渉しているトランスミッタが前記メッセージスロットにおける送信を許可されることを示すようになっており、
第２の状態は、前記干渉しているトランスミッタにより受信された前記ビジーバースト電力が前記メッセージスロットにおける前記干渉しているトランスミッタによる送信を禁止しているとき、前記干渉しているトランスミッタが送信を許可されないことを示すようになっている、方法。
【請求項１６】
データメッセージを送信し、異なるトランシーバからのビジーバーストを受信するための方法であって、
データリソースに関連するビジーバーストスロットにおいて前記ビジーバーストを受信するステップ（４３０）と、
データリソースにおいてデータを送信するステップ（４３６、４４２）と、
前記トランスミッタによって用いられることが意図されるデータリソースに関係するビジーバーストスロットにおいてビジーバーストが受信されたか否かを判断するステップと、
前記ビジーバーストから干渉除去情報を抽出するステップ（４３４）であって、該抽出された干渉除去情報が、前記ビジーバーストの発信元のデータレシーバが前記データリソースにおいて前記トランシーバからの干渉を許容することを示すとき、前記データリソースを用いるよう前記送信することを制御するように構成される、抽出するステップと、
を含む、方法。
【請求項１７】
コンピュータプログラムであって、前記プログラムが電子デバイス上で実行されると、請求項１５又は請求項１６に記載のステップを実行するプログラムコード手段を備える、コンピュータプログラム。
【発明の詳細な説明】
【技術分野】
【０００１】
本発明は、データ送信システムに関し、特に自己組織型ネットワーク又はアドホックネットワークにおいて組織化することができる無線トランシーバに関するが、本発明は、中央組織化されたネットワークにおいても、該ネットワークが有線ネットワークであるか又は無線ネットワークであるかに関わらず有用である。
【背景技術】
【０００２】
スペクトル共有は、アドホックネットワーク又はコグニティブ無線ネットワーク等の分散的（decentralized）無線ネットワークの一般的な特徴である（S. Haykin、「Cognitive Radio: Brain-Empowered Wireless Communications」、IEEE Journal on Selected Areas in Communications, vol. 23, no. 2, pp. 201-220, 2005）。スペクトル共有の目標は、同時送信の観点からスペクトル利用を増大させることである。しかしながら、有意義なスペクトル共有は、空間再利用を同一チャネル干渉と平衡させなくてはならない。再利用が多すぎることによって過度の干渉が生じる場合があり、これによって達成可能なリンク及び合計レートが損なわれる場合がある。他方で、再利用が少なすぎることによって、アクティブなリンクの数が少ないことに起因して合計レートが低下する。ビジーバースト（話中バースト；busy burst：ＢＢ）プロトコルによって空間再利用と干渉保護との平衡をとることが可能になる。ＢＢ法は以下のように機能する。
・時間多重化されたミニスロットにおいてアクティブなレシーバによって信号が送出される［２］。
・潜在的なトランスミッタがまずミニスロットをリスンし、受信したＢＢ電力をしきい値と比較する。
・受信したＢＢ信号がしきい値を超えている場合、潜在的に干渉しているトランスミッタは、干渉を受容可能なレベルに保持するために、送信を控える。受信したＢＢ信号がしきい値を下回っている場合、潜在的なトランスミッタがアクティブになる。
【０００３】
チャネル相反性が成り立つという主要な仮定の下で、このしきい値は、ＢＢ信号を送出した脆弱なレシーバに課すことができる最大許容可能干渉に等しい。これは、潜在的干渉体が、非明示的シグナリングを介して、その送信が近傍のリンクに対しどの程度悪影響を及ぼすかに気付いていることを意味する。
【０００４】
１つの実施態様において、ＢＢプロトコルはシステム全体にわたる固定の干渉閾値を有する（P. Omiyi、H. Haas、及びG. Auer、「Analysis of TDD Cellular Interference Mitigation Using Busy-Bursts」、IEEE Transactions on Wireless Communications, vol. 6, no. 7, pp. 2721-2731, Jul. 2007）。この干渉閾値は、大規模なシステムレベルシミュレーションによって慎重に最適化される必要がある（４、 B. Ghimire、G. Auer、及び、H. Haas、「Busy Bursts for Trading-off Throughput and Fairness in Cellular OFDMA-TDD」、Eurasip Journal on Wireless Communications and Networking, vol. 2009, Article ID 462396, 14 pages, 2009）。この手法は、固定のしきい値を超えて増大する合計レートを提供するのみでなく、所定のしきい値の選択に対しより敏感でない適応発見的しきい値を導入することによって改善される（５、 S. Sinanovic、 H. Burchardt、N. Serafimovski、G. Auer、及び、H. Haas、「Local Information Busy Burst Thresholding」、Proc. of the International Conference on Communications（ICC’09）, Dresden, Germany, Jun. 14-18 2009）。
【０００５】
欧州特許第１８５５４２２号は、ビジーバーストを用いたレシーバフィードバック及びブロードキャストシグナリングを開示している。
【０００６】
スペクトラム拡散技術とは異なり、マルチキャリヤ送信システム及びシングルキャリヤ送信システムは、内蔵干渉耐性メカニズムを有していない。この内蔵干渉耐性メカニズムがあると、複数セルの環境内でそのシステムが使用できるようになり、結果として、ユニバーサルな周波数を再利用することが可能になる。同一チャネル干渉（co-channel interference；ＣＣＩ）に有効に対抗するためのインテリジェントな周波数再利用に関する問題は未解決である。さらに、アドホックネットワーク又はマルチホップネットワークでは、集中型ノードが欠如しているので、無線リソース管理（たとえば、時間及び周波数の管理）を集中型方式で行えないという問題が起こる。そのため、アドホックネットワーク又はマルチホップネットワークにおける無線リソース管理に関する問題も未解決である。
【０００７】
効率的な無線リソース管理のためにマルチホップネットワーク及びアドホックネットワークに用いられる既知のプロトコルは、いわゆるビジーバースト時分割多元接続（busy burst time division multiple access；ＢＢ−ＴＤＭＡ）プロトコルである。ＢＢ−ＴＤＭＡは、干渉管理を効率的にサポートする時分割二重通信（time division duplex；ＴＤＤ）の特性を用いるビジーバーストブロードキャストプロトコルである。データを現在受信しているネットワークノードは、潜在的干渉体がそれと同時に送信することを防ぐために、ビジーバーストをブロードキャストする。潜在的なトランスミッタが送信を始めるのは、ビジーバーストが受信されない場合のみである。ビジーバーストは、１つのビジー信号タイムスロットを各ペイロード信号タイムスロットに関連付けて、時間フレーム構造の一部を占めるミニスロット又はビジー信号タイムスロットにおいてブロードキャストされる。全てのトランスミッタは、他のユーザに対して著しい干渉を引き起こすことなくスケジューリングした通りに送信できるか否かを判断するために、ビジー信号をリスンしなければならない。
【０００８】
従来のＢＢ−ＴＤＭＡトランスミッタは、２つの異なるモード、いわゆるコンテンションモード（競合モード）及び予約モードになることができる。ＢＢ−ＴＤＭＡプロトコルに従う従来のトランスミッタは、無線フレーム中に、送信に用いることができるペイロードデータがある場合にはコンテンションモードになるが、トランスミッタは、まだ、システムに接続していない。そのため、トランスミッタは、送信を始めるために、リソースすなわちペイロード信号タイムスロットを割り当てようと試みる。図７には、コンテンションモード時のＢＢ−ＴＤＭＡトランスミッタのフローチャートが示されている。
【０００９】
第１のステップＳ１においては、ｉ番目のＴＤＭＡフレームのｎ番目のタイムスロットにおける送信のためのデータブロックがスケジューリングされる。一旦データブロックがスケジューリングされると、トランシーバが、第２のステップＳ２において、（ｉ−１）番目のＴＤＭＡフレームのｎ番目のミニスロット、すなわち、ビジー信号タイムスロットをリスンし始める。第３のステップＳ３においては２つの可能性があり、トランスミッタが強いビジーバーストを受信した場合には、所望のｎ番目のタイムスロットは既に占有され、図７のフローチャートのステップＳ５に示すようにデータブロックをスケジューリングし直さなければならない。ステップＳ３においてトランスミッタが強いビジーバーストを検出しない場合、所望のｎ番目のタイムスロットが占有されておらず、ステップＳ４において、トランスミッタが送信を始めることができ、かつｉ番目のＴＤＭＡフレームのｎ番目のタイムスロットにおいてデータブロックを送信できることを示している。また、トランスミッタは、どのくらいの量のデータを送信する予定であるかをレシーバに知らせるべく、トランスミッタバッファ状態をシグナリングすることになる。トランスミッタが、その第１のデータブロックを送信した後、トランスミッタは、ステップＳ６において、ｉ番目のＴＤＭＡフレームのｎ番目のビジー信号タイムスロットをリスンすることになる。ここでも同様に、ｎ番目のビジー信号タイムスロットに対して２つの可能性があり、トランスミッタが対象とするレシーバからの強いビジーバーストを検出した場合には、トランスミッタは、ステップＳ８に進んで、ｉ＋１番目のＴＤＭＡフレームのｎ番目のタイムスロットで次のブロックを送信し、この場合も同様に、そのトランスミッタバッファ状態をシグナリングする。ステップＳ７において、トランスミッタが、対象とするレシーバから強いビジーバーストを検出できなかったが、そのバッファ内にまだデータを有する場合には、送信は、ステップＳ５に応じて、スケジューリングし直さなければならず、これは、トランスミッタが利用可能なペイロードタイムスロットを見つけようと試みたステップＳ３において、強いビジーバーストが検出た場合の状況と同様である。しかし、トランスミッタバッファが空であるとき、すなわち、送信するデータがそれ以上ない場合には、送信は完了し、トランスミッタは、図７のステップＳ１０に示すように、新たなデータを待つことができる。明らかに、第１のデータブロックが送信された後のビジーバーストの受信は、トランスミッタのための、また、他のトランスミッタからの送信の保護のための肯定応答として機能し、この他のトランスミッタは、特定のペイロードタイムスロットに関連するビジー信号タイムスロットでビジーバーストを受信し、そして、一旦ビジーバーストを検出すると、送信をスケジューリングし直すことになって、所望のトランスミッタの送信に接続せず、また、送信に干渉もしない。このトランスミッタについて考えると、ビジーバーストは、第１のデータブロックの送信に対する肯定応答として機能し、トランスミッタを、第２の状態、いわゆる予約モードにする。予約モードは、図７におけるステップＳ８に相当し、この場合、第１のデータブロックの送信は肯定応答を得ることに成功し、トランスミッタは送信を続ける。
【００１０】
図７のステップＳ８による予約モードにおけるトランスミッタの動作のフローチャートが図８に示されている。フローチャートの第１のステップＳ１は、データブロックが、ｉ番目のＴＤＭＡフレームのｎ番目のタイムスロットで既に送信及び肯定応答され、かつ上記トランスミッタバッファがまだ空ではない状況に相当する。次に、ステップＳ２において、トランスミッタは次のデータブロックを送信し、ｉ番目のＴＤＭＡフレームのｎ番目のミニスロットをリスンし、そうして、図８のステップＳ３に従って、ｎ番目のミニスロット又はビジー信号タイムスロットにおいて強いビジーバーストの有無をトランスミッタが検出することができる。ステップＳ３において、対象とするレシーバからの強いビジーバーストをトランスミッタが検出すると、トランスミッタは送信を続け、別のデータブロックをｉ＋１番目のＴＤＭＡフレームのｎ番目のタイムスロットで送信し、また、そのトランスミッタバッファ状態をシグナリングする。次に、トランスミッタは、対象とするレシーバからの関連するビジー信号タイムスロットで強いビジーバーストを検出している間、予約モードのままでデータの送信を続ける。ステップＳ３において、トランスミッタが対象とするレシーバからの強いビジーバーストを或る時点に検出しない場合には、２つの可能性がある。そのトランスミッタバッファが空である場合には送信は完了し、トランスミッタは、コンテンションモードに戻って新たなデータを待つことができる。バッファが空でない場合には、対象とするレシーバからの強いビジーバーストを検出しないことは、最後の送信の否定応答として機能し、トランスミッタはコンテンションモードに戻る。このことは図８のステップＳ６に示される。そして、一番最後の送信がスケジューリングし直される。図７及び図８を見ると、トランスミッタは、最初の送信又は再送信のためにコンテンションモードになるだけであり、トランスミッタがコンテンションモードでデータブロックを送信するのに成功するとトランスミッタは直ちに予約モードに変わり、データブロックの送信に成功し続けている間その状態を続けることを見て取ることができる。そのバッファが空であるか、又はデータブロックの受信の成功が、ビジーバーストを送信するレシーバによって肯定応答されない場合にはトランスミッタはコンテンションモードに戻る。
【００１１】
図９のフローチャートに、これに対応するＢＢ−ＴＤＭＡレシーバの動作が示されている。レシーバは、第１のステップＳ１において、ＴＤＭＡフレームの全てのタイムスロット中のデータブロックをリスンする。第２のステップＳ２において、データが受信されると、第３のステップＳ３において、レシーバはデータブロックの受信品質を確認する。受信品質が十分であった場合には、ステップＳ５に進み、この場合、レシーバは、トランスミッタが、まだそのバッファ内にデータを有するか否かを確認する。トランスミッタバッファ状態の確認は、トランスミッタからのシグナリングされたトランスミッタバッファ状態（signaled transmitter buffer state；ＳＴＢＳ）に基づいて行われる。トランスミッタがまだそのバッファ内にデータを有する場合には、現在のＴＤＭＡフレームのｉ番目のペイロード信号タイムスロットのデータブロック送信の受信の成功に肯定応答するために、ステップＳ６において、ｉ番目のビジー信号タイムスロットにおけるビジーバーストをレシーバが送信する。レシーバがデータを何も受信しない場合、レシーバが不十分な品質でデータを受信した場合、又は、トランスミッタのバッファが空であり、かつトランスミッタが、その送信を成功させた場合には、ステップＳ４に示すように、レシーバは、これ以上ｉ番目のミニスロットでビジーバーストを送信しない。
【００１２】
図１０には、４つのタイムスロット２０１０で構成されているＢＢ−ＴＤＭＡフレーム２０００を示し、ＢＢ−ＴＤＭＡフレームの基本的な時間的構造が示されている。ここで、タイムスロットの各々は、ペイロードタイムスロット２０２０とビジー信号タイムスロット２０３０とで構成されている。図１０に示すように、ペイロードタイムスロット２０２０の間にデータブロックの送信があるが、対象とするレシーバからの関連するビジー信号タイムスロット２０３０の間にはビジー信号応答はない。これは、トランスミッタがコンテンションモードに戻ることを意味する。しかし、ペイロードタイムスロット２０２０の間に送信されたデータブロックがトランスミッタのバッファ内の最後のデータブロックであった場合には、トランスミッタは、その送信に成功している可能性が高く、送信バッファの最後のデータブロックの送信に肯定応答するためのビジー信号は必要ではない。
【００１３】
ＢＢ−ＴＤＭＡプロトコルに従った従来の通信シーケンスが図１１に示されており、３つのトランスミッタＴｘ１、Ｔｘ２及びＴｘ３が、３つのレシーバＲｘ１、Ｒｘ２及びＲｘ３との通信を試みる、すなわち、３つのトランスミッタ−レシーバの対Ｔｘ１−Ｒｘ１、Ｔｘ２−Ｒｘ２及びＴｘ３−Ｒｘ３を設定する通信シナリオ２１００が示されている。実線の矢印は、トランスミッタＴｘ１とレシーバＲｘ１との間、及びトランスミッタＴｘ３とレシーバＲｘ３との間に既にアクティブな送信があることを示す。トランスミッタＴｘ３とレシーバＲｘ１との間の点線の矢印は、Ｔｘ３の送信が、レシーバＲｘ１に対して干渉を引き起こしていることを示している。トランスミッタＴｘ１とレシーバＲｘ１との間で既に始まっている通信があるにもかかわらずＴｘ３が送信中である理由は、トランスミッタＴｘ３が、レシーバＲｘ１によりブロードキャストされるビジーバースト又はビジー信号の聴取可能領域外にあるためである。レシーバＲｘ１のビジーバーストの聴取可能領域は、図１１における点線の円２１１０によって示されている。また、図１１は、３つのトランスミッタＴｘ１、Ｔｘ２及びＴｘ３とレシーバＲｘ１との間の通信シーケンス２１２０を示す。通信シーケンス２１２０には、３つの無線フレーム、すなわち、フレームｉ、フレームｉ＋１及びフレームｉ＋２が示されている。各無線フレームは、３つのタイムスロットで構成され、各々のタイムスロットは、ペイロード信号タイムスロット２１３０と、ビジー信号タイムスロット２１４０とで構成されている。フレームｉの間、トランスミッタＴｘ１は、第１及び第２のペイロード信号タイムスロットの間にデータブロックを送信する。レシーバＲｘ１は、フレームｉの第１及び第２のペイロード信号タイムスロットの間に、２つのデータブロックを受信し、図１１に、フレームｉ内のビジー信号タイムスロット内の黒いバーによって示すように、フレームｉ内の第１及び第２のビジー信号タイムスロットの間のデータブロックの受信の成功に肯定応答を行う。
【００１４】
フレームｉの間、トランスミッタＴｘ３は、既にコンテンションモードになり、フレームｉ内の第１のペイロード信号タイムスロットが占有されているか否かを判断する。トランスミッタＴｘ３は、レシーバＲｘ１のビジー信号の聴取可能領域外にあるため、トランスミッタは、フレームｉの第１のビジー信号タイムスロットの間にＲｘ１のビジー信号を検出せず、その結果として、フレームｉ＋１の第１のペイロード信号タイムスロットの間に、データをレシーバＲｘ３へ送信し始める。トランスミッタＴｘ３は、まだレシーバＲｘ１のビジー信号の聴取可能領域外にあるため、トランスミッタＴｘ３は、フレームｉ＋２内の第１のペイロード時間信号タイムスロットを使用することも維持する。トランスミッタＴｘ２の場合には状況が異なる。Ｔｘ２はフレームｉの間コンテンションモードであった。Ｔｘ２がＲｘ１の聴取可能領域内にあるため、Ｔｘ２はフレームｉの間、第２のビジー信号タイムスロットにおいてビジー信号を検出し、その結果、フレームｉ＋１内の第２のペイロード信号タイムスロットの間のスケジューリングした送信をキャンセルする。
【００１５】
そのため、トランスミッタＴｘ２はフレームｉ＋２における第２のペイロードタイムスロットの間にも別の送信をスケジューリングしない。また、トランスミッタＴｘ２は、フレームｉ＋１における第３のペイロード信号タイムスロットの間に送信するが、このペイロード信号タイムスロットがレシーバＲｘ１により占有されていないため、Ｒｘ１は、関連するビジー信号タイムスロットでビジー信号を送信せず、したがって、トランスミッタＴｘ２は、フレームｉ＋２においても、第３のペイロードタイムスロットを使用し続ける。
【００１６】
通信品質の問題に対処するために、通信品質クラス、干渉レベル、ユーザ優先度、無線リソースユーティライゼーション等の効率的な管理を可能にする、ＢＢ−ＴＤＭＡのためのプロトコル拡張が提供される。この目的のために、ビジーバーストがさらなる通信品質／干渉許容情報を伝達するように、ビジーバーストに情報が背負わ（ピギーパック）される。潜在的な他のトランスミッタは、この情報、すなわち、脆弱なレシーバにおける通信品質の性能を保護しつつ、送信可能な電力レベルをどのレベルにするかについての情報を実際に利用することができる。
【００１７】
刊行物「Sum-rate Increase with the Hybrid of Interference Cancellation and Busy Burst Interference avoidance」、S. Sinanovic, G. Auer、及び、H. Haas, Asilomar 2009, pages 1002-1006は、スペクトル共有ネットワークにおいて合計レートをブーストするために、レシーバにおいてビジーバーストプロトコルを干渉除去と組み合わせることを提案する。レシーバが最も強い干渉信号を除去することができると仮定すると、アクティブなレシーバの除外範囲内で１つの干渉トランスミッタを許可することができる。
【００１８】
刊行物「Interference Cancellation for Cellular System: A Contemporary Overview」、J. G. Andrews, IEEE Wireless Communications, April 2005, pages 19-29は、マルチユーザー検出を用いることによって干渉除去を実行するためのいくつかの技術にわたる概観を開示している。マルチユーザー検出の異なるタイプは、最適最尤技法、線形技法、ターボ技法、並列干渉除去技法、連続干渉除去技法、非直交適合フィルタの使用、又は直交適合フィルタの使用であり、これらの技術は、複雑度、待ち時間、誤り訂正符号の使用等に関して異なる。
【００１９】
干渉除去をビジーバーストの概念に導入することに関して問題となるのは、様々なトランシーバノードに対するシステム要件が増大することである。特に、干渉除去を実行することができるトランシーバが存在する可能性があり、かつ干渉除去を実行することを可能にされていない他のトランシーバも存在する可能性があるため、下位互換性が問題となる可能性がある。さらに、干渉除去を実行する能力を有するトランシーバがアクティブである場合であっても、異なる状況に関して干渉除去特性を扱うための柔軟性が要求される。
【発明の概要】
【発明が解決しようとする課題】
【００２０】
本発明の目的は、改善されたトランシーバの概念を提供することである。
【課題を解決するための手段】
【００２１】
この目的は、請求項１又は請求項９に記載のトランシーバ、請求項１５に記載の受信方法、請求項１６に記載の送信方法、又は請求項１７に記載のコンピュータプログラムによって達成される。
【００２２】
本発明によれば、ビジーバースト干渉回避が干渉除去と組み合わされる。これは、スペクトル共有システムにおいて干渉をさらに低減し合計レートを増大させる役割の複合方法を得るためのレシーバにおけるアクティブな干渉低減のための方法である。この目的のために、柔軟性を得ると共に、一方でのシステム複雑性と、他方での合計レートの増大と間で良好な比率を求める役割を果たすために、ビジーバーストトランスミッタは、ビジーバーストが異なる規定の状態を有する干渉除去情報を含むよう該ビジーバーストがフォーマット設定されるようにトランスミッタを制御するためのコントローラを備える。１つの状態において、ビジーバーストを受信する干渉しているトランスミッタは、受信したビジーバースト電力が、メッセージスロットにおける送信が許可されないことを示すにもかかわらず、このメッセージスロット又はデータリソースにおいて送信を許可される。しかしながら、ビジーバースト内に含まれる干渉除去情報が、干渉トランスミッタが送信を許可されないことを示すとき、かつ受信したビジーバースト電力がメッセージスロットにおける送信を禁止するとき、干渉トランスミッタは、ビジーバーストの発信元の脆弱なレシーバにおける干渉が許可可能な制限内にあることを確実にするために、このメッセージデータスロットを用いない。さらに、ビジーバーストから干渉除去情報を抽出するために、ビジーバーストを受信するトランシーバが実装される。抽出された干渉除去情報に基づいて、そのようなトランシーバにおいて提供されるコントローラは、その抽出された干渉除去情報が、ビジーバーストの発信元のデータレシーバがデータリソースにおけるトランシーバからの干渉を許容することを示すとき、該データリソースが用いられるように、このトランシーバにおいてトランスミッタを制御するように構成される。
【００２３】
ビジーバーストがレシーバにおける干渉除去能力をシグナリングするためのシグナライゼーションリソースとして用いられるこの手順は、データスループットの向上をもたらすが、それにも関わらず、一方での複雑性と他方でのスループットとのトレードオフを可能にする。本発明の一態様では、ビジーバーストは、直接ビジーバースト除外範囲に加えて干渉許可インジケータをシグナリングするためにビジーバーストレシーバによって別個に解釈実行することができるさらなるビジーバーストリソースを備える。干渉許可インジケータは、一実施態様では、正確に２つの規定の状態を有するフラグであり、セットされた状態では、脆弱なレシーバが干渉を許容していることを示し、セットされていない状態では、脆弱なレシーバが干渉除去を実行する役割にないか、又は干渉除去で既に「負荷がフルである」ことを示す。
【００２４】
本発明のさらなる態様では、ビジーバーストは、潜在的に干渉しているトランスミッタに包含範囲をシグナリングするための追加のリソースを含む。包含範囲とは、すなわち、干渉しているトランスミッタが、該干渉しているトランスミッタからの信号が、レシーバにおいて、干渉除去に成功することができるのに十分強力であるようになっていなくてはならない、脆弱なレシーバの周りの範囲である。言い換えれば、干渉しているレシーバからの干渉が小さすぎる場合、すなわち、干渉しているレシーバが包含領域内になく包含領域の外側にあり、おそらく除外領域の内側にある場合、干渉信号が、干渉しているレシーバにおける有用な信号に対して弱すぎることに起因して干渉除去は成功しない。たとえば、包含範囲のために予約されたビジーバーストリソース内の或る特定の電力を提供することによって除外範囲にシグナリングすることにより、さらなる柔軟性が可能になる。しかしながら、他の実施の形態では、干渉除去情報として、干渉許可インジケータフラグのみで十分となるように包含範囲を除外範囲と等しくセットすることができる。
【００２５】
本発明によれば、干渉保護を提供するビジーバースト手法が、干渉除去技法と組み合わされ、好ましくは部分的な最も強い干渉体の除去（strongest interferer cancellation；ＳＩＣ）と組み合わされる。このため、同一チャネル干渉がさらに低減され、結果として、合計レートの増大が提供される。この複合スキームの性能が様々なノード密度及び干渉閾値の範囲について実証された。複合スキームは純粋なビジーバースト法に勝る合計レートの増大、及び固定ビジーバーストしきい値の最適な選択に対する感度の低下を提供し、それによって実施の観点から新たなスキームがより望ましく、柔軟性のあるものになる。このため、本発明は、干渉回避及び干渉除去の組み合わせのためのプロトコルを提供する。
【００２６】
代替的に又は付加的に、本発明は、アクティブなレシーバから潜在的なトランスミッタに、干渉体の数が或る制限を下回るように情報を伝達するための装置及び方法を提供する。
【００２７】
代替的に又は付加的に、本発明は、アクティブなレシーバが干渉体の送信データレートを制御することを可能にするための装置又は方法を提供する。
【００２８】
本発明の実施形態を添付の図面に関して以下に説明する。
【図面の簡単な説明】
【００２９】
【図１ａ】データメッセージを送受信し、ビジーバーストを送信するためのトランシーバのブロック図である。
【図１ｂ】干渉除去情報の異なる実施態様を示す。
【図１ｃ】プロトコルの概要を示す。
【図２】いくつかのトランシーバを備えるシステムの概略図を示す。
【図３】データメッセージを送信し、ビジーバーストを受信するためのトランシーバのブロック図を示す。
【図４ａ】図１ａに示すトランシーバによって実行される方法のフローチャートを示す。
【図４ｂ】図３に示すトランシーバによって実行される手順の一実施形態を示す。
【図４ｃ】図３に示すトランシーバの別の実施態様を示す。
【図４ｄ】図３に示すトランシーバのさらなる実施態様を示す。
【図５ａ．５ｂ】異なるネットワーク状態を示す。
【図５ｃ．５ｄ】異なるネットワーク状態を示す。
【図５ｅ．５ｆ】異なるネットワーク状態を示す。
【図６ａ】異なるノード密度について、部分ＳＩＣと純粋なビジーバースト干渉回避との比較を示す。
【図６ｂ】異なるノード密度について、部分ＳＩＣ及びＢＢ干渉回避を複合したものの合計レートと比較した、ＳＩＣ及びＢＢ干渉回避を複合したものの合計レートを示す。
【図７】コンテンションモードにおける従来のＢＢ−ＴＤＭＡトランスミッタのフローチャートを示す。
【図８】予約モードにおける従来のＢＢ−ＴＤＭＡトランスミッタのフローチャートを示す。
【図９】ＢＢ−ＴＤＭＡレシーバのフローチャートを示す。
【図１０】ＢＢ−ＴＤＭＡフレームの構造を示す。
【図１１】ＢＢ−ＴＤＭＡプロトコルに従う通信シナリオを示す。
【発明を実施するための形態】
【００３０】
図１ａは、本発明の一実施形態による、データメッセージを受信し、ビジーバーストを送信するためのトランシーバを示している。トランシーバは、受信信号を受信するためのレシーバ１００を備え、受信信号は干渉データ及び（有用な）データメッセージの重ね合わせを含む。さらに、トランシーバは、ビジーバーストを送信するためのトランスミッタ１０２を備える。さらに、トランシーバは、レシーバ１００に接続され、さらにコントローラ１０６に接続された干渉除去装置１０４を備える。コントローラ１０６は、ビジーバーストスロットに関連するメッセージスロットにおいてデータメッセージの受信に成功したとき、ビジーバースト電力を用いてビジーバーストスロットにおいてビジーバーストを送信するようトランスミッタ１０２を制御するように構成される。さらに、コントローラ１０６は、トランスミッタ１０２によって最終的に送信されるビジーバーストを、該ビジーバーストが規定の状態を有する干渉除去情報を含むようフォーマット設定するように構成される。これらの規定の状態は、第１の状態又は第２の状態を含む。第１の状態は、ネットワーク内の遠隔位置に位置する干渉しているトランスミッタに対し、該干渉しているトランスミッタにおいて受信される受信ビジーバースト電力が、送信が許可されないことを示すにもかかわらず、該干渉しているトランスミッタが検討中のメッセージスロットにおいて送信を許可されることを示すようになっている。換言すれば、第１の状態は、干渉しているトランスミッタに対し、図１ａに示すトランシーバが、干渉除去装置１０４によって示される干渉除去能力を含むことを示す。このため、トランシーバは、第１の状態にある干渉除去情報内でビジーバーストを送信することによって、その干渉除去特性をシグナリングする。
【００３１】
第２の状態では、干渉しているトランスミッタは、該干渉しているトランスミッタにおいて受信される受信ビジーバースト電力がメッセージスロットにおける送信を禁止するとき、送信を許可されない。換言すれば、ビジーバーストが干渉しているトランスミッタにおいてしきい値を上回る電力で受信されるとき、干渉しているトランスミッタは、図１ａに示すトランシーバにおける問題となる干渉が回避されるように、送信を許可されない。言い換えれば、干渉除去情報の第２の状態は、ビジーバーストにピギーパックされたこの情報を送信しているトランシーバが干渉除去を全く実行することができないか、又はたとえば最も強い干渉体の干渉除去が既に実行されたが、さらなる干渉除去のための追加のリソースがもはや一切利用可能でない状況にあることを示す。
【００３２】
図１ｂは、異なる種類の干渉除去情報、及びさらに、除外領域をシグナリングすることができる方法を示している。干渉除去情報は実際に、正確に２つの状態を有する干渉許可インジケータ（ＩＡＩ）フラグとすることができる。セット状態すなわち「１」状態において、干渉しているトランスミッタは、データメッセージスロット／リソースにおいて送信することを許可される。一方、ＩＡＩフラグが「０」すなわち非セット状態にあるとき、干渉しているトランスミッタは、検討中のデータスロットにおいて送信することを許可されない、すなわち、データスロットは、干渉除去情報を有するビジーバーストが検出されたビジーバーストスロットに関連している。
【００３３】
さらに、ビジーバーストは、除外領域のサイズをシグナリングするために、すなわち、直接ビジーバーストプロトコルにおけるように、「競合している」トランスミッタに対し、或るスロットが占有又は予約されていることをシグナリングするために、固定電力インジケーションを含む。
【００３４】
図１ｃは、プロトコルの概要を示している。図３に関して説明及び図示されるＴｘ等のトランシーバによって送信されるデータスロット１１５には少なくとも２つのミニスロットが付随する。ビジーバーストリソース番号２とも示される第１のミニスロット１１６は、包含領域内のさらなる干渉を許容することができる場合に通知するインジケータとして機能する。ビジーバースト番号１として示される第２のミニスロット１１７は、除外領域を確立する固定電力に関する情報を示す。さらに、ビジーバーストリソース番号３として示される第３のミニスロット１１８が提供される。この第３のビジーバーストミニスロットは、包含領域のサイズをシグナリングするための可変電力ＰＩＮに関する情報を含む。３つのミニスロット１１６、１１７、１１８すべてがデータスロットに関連し、これは、たとえば図１ｃのプロトコル図内のビジーバーストスロットが、たとえば時間において３つの部分に分割されることを意味する。一方、代替的に、図１ｃにおいて示されるビジーバーストスロットのためにいくつかの周波数キャリヤを用い、第１の周波数キャリヤ又は第１の周波数キャリヤグループが干渉許可インジケータに関する情報を有するようにすることが好ましい。第１のキャリヤ又は第１のキャリヤグループと異なる第２の周波数キャリヤ又は第２の周波数キャリヤグループが、除外領域のサイズをシグナリングするための固定電力Ｐｘに関する情報１１７を有し、第３の周波数キャリヤ又は第３の周波数キャリヤグループが、包含領域のサイズをシグナリングするための可変電力ＰＩＮに関する情報を含み、この場合、第３の周波数キャリヤ又は第３の周波数キャリヤグループは対応する第１の周波数キャリヤ若しくは第１の周波数キャリヤグループ又は第２の周波数キャリヤ又は第２の周波数キャリヤグループと異なる。
【００３５】
図２は、ビジーバーストと部分的な最も強い干渉の除去とを複合したものを示している。最も強い干渉を正確に除去するためには、既存の一次リンク（ｐ）レシーバに対する二次リンク（ｓ）の干渉は、包含領域干渉閾値ＩＩＮよりも強いべきである。特に、「脆弱な」レシーバＲｘｐ２００が図１ａにおいてデータレシーバ／ビジーバーストトランスミッタとして示されている。干渉している可能性があるトランスミッタＴｘｓが図２において２０２として示されている。脆弱なレシーバ２００に対する一次接続を有するデータトランスミッタがＴｘｐ２０４に示されている。さらに、潜在的に干渉しているトランスミッタＴｘｓ２０２と二次レシーバＲｘｓ２０６との間の二次接続のための第２のレシーバも同様に示されている。さらに、二次（潜在的に干渉している）トランシーバ２０２と一次レシーバ２０２との間のチャネルＧｓｐが２０８に示されている。図２に示されている除外領域は、図１ｃのビジーバーストリソース番号１または１１７内の情報によって、すなわち値Ｔｉｘによって決定され、２１０に示される或る干渉Ｉｘは除外領域によって規定される。さらに、図２に示す包含領域は、図１ｃの１１８に示されるビジーバーストリソース番号３における情報によって決定され、この包含領域は、一次レシーバ２００が干渉除去の実行に成功する位置にあるように二次トランスミッタ２０２からの最小干渉を規定する。この文脈において、干渉除去は、成功するために、最低限の量の干渉を必要とすることに留意されたい。トランスミッタ２０２によって生成されたレシーバ２００における干渉が低すぎる場合、レシーバ２００における干渉除去は機能しない。このため、送信している干渉体２０２は、干渉がレシーバ２００における干渉除去を可能にするのに十分強くなるように一次レシーバ２００に極めて近接していなくてはならない。トランスミッタの出力電力がデータレートに比例しているとき、デバイスの実施態様に依拠して、干渉しているトランスミッタ２０２のデータレートを増大させるか、又はこのトランスミッタのデータレートを減少させることによってより高い干渉又はより低い干渉を有効にすることができる。一方、通常、干渉しているトランスミッタ２０２の送信電力が同じままであるとき、レシーバ２００が干渉除去の実行に成功する機会は増大する。なぜなら、データレートが低くなると、必要とされる最小エラーレートも同様に降下するためである。
【００３６】
実施形態は、干渉軽減のためのＢＢ法と組み合わされた干渉除去のための装置及び方法に関する。ＢＢ法では、アクティブなレシーバの周りに、ＢＢしきい値ＩＸの値によって画定された除外領域が存在する。一方、干渉閾値ＩＩＮによって画定される或る特定の包含領域内でアクティブである干渉体に起因する干渉を取り除くことが可能である場合、ＢＢ干渉軽減の利益を保ちながら、より高いアクティブリンク密度に起因して合計レートが増大することになるので、この状況が発生することを許可することが望ましい。干渉除去は、そのような干渉体の除去に成功し、それによって純粋な（すなわち干渉除去なしの）ＢＢスキームを改善する手段を提供する。図２に示すように、トランスミッタは、除外範囲の外側に位置している場合又は包含範囲内に位置している場合のいずれも媒体にアクセスすることができる。除外範囲のサイズは固定されており、対応する固定ＢＢ電力Ｐｘを有する一方、包含範囲（ＩＩＮで与えられる）のサイズは干渉体の送信レートに依拠する。これは、包含範囲がＰＩＮによって表される可変フィードバック信号電力により制御されることを意味する。
【００３７】
以下において、プロトコルの詳細が説明される。関連するフレーム構造は、時間及び／又は周波数において配列された多数の直交データスロットからなり、ＢＢプロトコルに沿ったＴＤＭＡ又はＯＦＤＭＡ多重接続スキームを生み出す［２］［３］。各データスロットに関連するのは時間多重化されたミニスロットである。このミニスロットの持続時間は通常１ＯＦＤＭシンボルであり、周波数領域において、そのようなデータブロック又はスケジューリングリソースブロックを形成する複数の連続したサブキャリヤにまたがる。これは、そのようなＯＦＤＭＡ／ＴＤＭＡシステムにおけるミニスロットを、本発明の報告において利用するリソース要素にさらに分割することができることを意味する。特に、ミニスロットは少なくとも２つのリソース要素を搬送し、１つは除外範囲及び包含範囲（すなわちＰｘ＝ＰＩＮである特殊な場合）をシグナリングするためのものである。通常、アクティブなレシーバＲｘｐは限られた数の干渉体しか復号することができないので、第２のリソース要素として干渉許可フラグが導入される。この干渉許可フラグは、アクティブなレシーバが強い干渉を許容することができるか否かを潜在的なトランスミッタＴｘｓにシグナリングする。除外範囲と包含範囲とが異なり、ＰＸ≠ＰＩＮである場合、図２に示すようにミニスロットごとに３つのリソース要素が必要である。第３の要素は、可変電力ＰＩＮによって包含範囲のサイズをシグナリングする。ミニスロットごとのさらなるリソース要素は、さらなる情報、たとえば発見的しきい値化のための可変電力に関する情報を含むことができる［４］。
【００３８】
既に確立された（一次）リンクをトランスミッタＴｘｐ及びレシーバＲｘｐによって表すものとする。同様に、干渉している（二次）リンクをトランスミッタＴｘｓ及びレシーバＲｘｓによって表すものとする。包含範囲及び除外範囲に関連する二次リンクＴｘｓにおけるフィードバックリンクの測定された信号電力を
【数１】
0005378471.tif 000002
及び
【数２】
0005378471.tif 000003
によって表すものとする（下付きの第１の文字「ｓ」又は「ｐ」は発信側を表し、下付きの第２の文字は「ｐ」又は「ｓ」は受信側を表す）。また、Ｐｄを、データのために用いられる送信電力とする。
【００３９】
除外範囲：チャネル相反性が成り立つ、すなわちＧｐｓ＝Ｇｓｐとすると、ＴｘｓがＲｘＰに課す干渉
【数３】
0005378471.tif 000004
は、Ｔｘｓにおいて測定されるＲｘＰのフィードバックに直接比例し、すなわち
【数４】
0005378471.tif 000005
である。
【数５】
0005378471.tif 000006
である場合、潜在的なトランスミッタＴｘｓは除外範囲の外側に位置し、ここでＩｘは脆弱なレシーバＲｘＰにおける受容可能な最大干渉であり、すなわち干渉閾値である。したがって、アクティブなレシーバＲｘＰからのフィードバック信号は、以下の条件が成り立つ場合、潜在的なトランスミッタＴｘｓにおいて十分弱いと検出され、
【数６】
0005378471.tif 000007
それによって、（１）が満たされる場合、Ｔｘｓはチャネルにアクセスすることができる。このため、（１）に違反している場合、アクティブなレシーバにおける過度な干渉は、リンク（複数可）が競合している潜在的なトランスミッタ（複数可）が所与のスロットにアクセスすることを拒否することによって軽減される。
【００４０】
ビジーバーストプロトコルは以下のように要約される［２］。
【００４１】
スロットの受信に成功し、トランスミッタＴｘＰが送信するさらなるデータを有することを仮定すると、レシーバＲｘＰは時間多重化されたミニスロットにおいてビジーバーストを送出する。トランスミッタＴｘｓが強いビジーバースト（１）を検知する場合、スロットは占有され、それによってＴｘｓはその送信を別のスロットにスケジューリングし直す必要がある。
【００４２】
包含範囲：潜在的なトランスミッタＴｘｓが包含範囲内にある場合、ＲｘＰから受信するフィードバックは以下の条件を満たす。
【数７】
0005378471.tif 000008
【００４３】
上記の式において、ＩＩＮは包含範囲のサイズを指定する所定の干渉閾値であり、ＰＩＮはレシーバフィードバック送信電力である。
【００４４】
この場合、干渉信号は、ＲｘｐがＴｘｓからの信号を除去することができるように十分に強い。Ｒｓによって表されるＴｘｓのレートは、ＲｘＰ及びＲｘｓが復号することができるようになっている必要があることが好ましい。この目的のために、ＲｘＰが、該ＲｘＰが復号することができる最大レートをシグナリングすることが有意義であり得る。これを達成する１つの方法は、可変レシーバフィードバック電力ＰＩＮを通じた非明示的シグナリングによるものである。
【００４５】
図３は、データメッセージを送信し、異なるトランシーバからビジーバーストを受信するためのトランシーバの一実施形態を示している。図３のデバイスは図２のシステムシナリオにおいて２０２で示される干渉しているトランスミッタＴｘｓに対応している。特に、図３に示すトランシーバは、データスロットに関連するビジーバーストスロット内のビジーバースト３０１を受信するためのレシーバを備える。さらに、図３に示す干渉しているトランスミッタは、データスロット内のデータメッセージ３０３を送信するためのトランスミッタ３０２を備える。続いて、干渉しているトランスミッタの特定の特徴によれば、該干渉しているトランスミッタが、或る特定の状況下において、単純なビジーバーストプロトコルによれば、対応するデータリソース又はデータスロットが予約されており、該干渉しているトランスミッタによって用いることができないことをビジーバーストが示しているにもかかわらず、ビジーバースト３０１が受信された同じデータスロットにおいてデータメッセージを送信することを許可されることが概説される。
【００４６】
さらに、干渉しているトランスミッタＴｘｓは、トランスミッタ３０２によって用いられるように意図されたデータリソースに関連するビジーバーストスロットにおいてビジーバーストが受信されたか否かを判断するためのコントローラ３０４を備える。この目的のために、コントローラ３０４はレシーバ３００に接続され、トランスミッタ３０２にも接続される。特に、コントローラ３０４は、ビジーバースト３００から干渉除去情報を抽出し、抽出された干渉除去情報が、ビジーバーストの発信元のデータレシーバがデータリソースにおいてトランシーバからの干渉を許容することを示すとき、そのデータリソースを用いるようトランスミッタ３０２を制御するように構成される。この「データレシーバ」は、たとえば、図１ａにおいてブロック図として示され、図２のシステムシナリオにおいて２００で示されているデータレシーバ／ビジーバーストトランスミッタＲｘｐとすることができる。このため、コントローラ３０４は、トランスミッタ３０２がこのデータリソースの受信ビジーバーストの代わりにデータリソースを用いるようトランスミッタ３０２を制御するように構成されるか、又は代替的に、コントローラは、干渉除去情報を有しないか若しくは図１ａに示すトランシーバがこれ以上いかなるさらなる干渉も許容することができないことを示す干渉除去情報を有する受信ビジーバーストに起因して、トランスミッタがリソースを用いないよう該トランスミッタを制御する。
【００４７】
図４は、図１ａにおいてブロック図として示され、図２のシステムシナリオにおいて２００で示されているデータレシーバ／ビジーバーストトランスミッタＲｘｐにおいて実行される方法／手順を示すブロック図を示している。ステップ４００において、図１ａのレシーバ１００は、データスロット／リソースにおいてデータメッセージ及び重ね合わせられた干渉データを受信する。次に、ステップ４０２において、図１ａの干渉除去装置１０４は干渉除去を実行してデータメッセージを得る。干渉除去が成功していないとわかったとき、すなわち干渉データを取得することも実際のデータメッセージを取得することもできないとき、データトランスミッタからデータレシーバへの送信は失敗している。ビジーバーストプロトコルに起因して、そのような「不成功」の状況の結果として、図１ａのトランスミッタ１０２は４０４で示すようにビジーバーストを送信しない。一方、データメッセージを得る干渉除去が成功した場合、すなわち、干渉データを復号及び除去するか又はレシーバ入力データから「取り去る」ことができたとき、４０４ａ及び４０４ｂに示される２つの選択肢を実行することが好ましい。４０４ａの場合、干渉除去は成功しており、図１ａのトランシーバにおけるコントローラ１０６は、レシーバがさらなる干渉さえ許容することができると判断する。そのような状況において、ステップ４０６は包含領域をそのまま維持するか又はさらには増大させる。図２に示す包含領域の増大によって直ちに、結果として、さらなる潜在的に干渉しているトランスミッタが包含領域に入り、二次リンクにおいて送信し始める可能性がある状況となり、これによって当然ながらレシーバ２００における干渉が増大する。この目的のために、ステップ４０６及びステップ４０８を実行するコントローラは、干渉許可インジケータＩＡＩが１にセットされ、或る包含範囲電力ＰＩＮを有する新たなビジーバーストをフォーマット設定し、Ｐｘで示される除外領域は変更されないままである。次に、ステップ４１０において、図１ａのトランスミッタ１０２はこの新たなビジーバーストを、ステップ４００において重ね合わせられた干渉データが受信されたデータスロットに関連するビジーバーストスロットにおいて送信する。代替的に、コントローラは、電力Ｐｘを低減することによって除外領域を減少させることもできるが、低減された除外領域に起因して、除外領域の境界に近接したさらなるトランスミッタが同じデータスロットにおいてそれらの二次送信を始め得る確率が存在するので、これもまた結果としてレシーバにおけるさらなる干渉をもたらすことになる。これらのすべてのステップは、ネットワーク利用及び全体ネットワークスループットを増大させるために実行される。
【００４８】
４０４ｂで示す代替案では、ステップ４０２における干渉除去が成功したが、コントローラがさらなる干渉が許容可能でないと判断している。これは、脆弱なレシーバ２００は従来通り動作を継続する役割にあるが、或る意味において、適切に動作する境界にあることを意味する。このため、いかなるさらなる干渉も干渉除去能力に過負荷となる。したがって、ステップ４１２において、コントローラは図２に示す包含領域を維持又は減少させるように動作する。包含領域の維持は、脆弱なレシーバが、該レシーバが適切に続行することができるとを仮定していることを意味する。包含領域の減少は、結果として、脆弱なレシーバが或る意味において「防御的」である状況をもたらし、これは、干渉しているレシーバが、図１ｃにおいて１１８で示されるビジーバーストリソース番号３における電力ＰＩＮを低減することによって包含領域を低減したことを意味する。この手順の影響は図４ｂ、図４ｃ、及び図４ｄに関して検討される。さらに、コントローラは、４１４で示すように干渉許可インジケータを０にセットするように構成される。このため、包含領域に入るいかなるさらなるトランスミッタも、干渉許可インジケータが０であることを知ることになる。干渉許可インジケータが０であることは、この干渉しているレシーバが、包含領域内に配置されているにもかかわらず、レシーバ２００が制限された干渉除去リソースに起因してさらなる干渉を許容することができないとシグナリングしたことに起因して、送信を始めないことを意味する。
【００４９】
ステップ４１６において、この新たなビジーバースト情報がコントローラ１０６によってビジーバースト上にフォーマット設定され、図１ｃのリソース１１６〜１１８における対応する情報を有する新たなビジーバーストが図１ａのトランスミッタ１０２によって送信される。
【００５０】
続いて、図３においてブロック図で示されている、二次トランスミッタ又は潜在的に干渉しているトランスミッタ２０２の手順が図４ｄ、図４ｃ、及び図４ｄに関して示されている。ステップ４３０において、レシーバ３００は、干渉しているトランスミッタＴｘｓがコンテンションモードにあり、データ送信を始めることを望んでおり、したがって利用可能なデータリソースを探しているので、ビジーバーストスロットをリスンする。この目的のために、４３０で示すように、レシーバはビジーバーストスロットに関連するデータリソースを取得するためにビジーバーストスロットをリスンする。ビジーバーストが検出されないとき、すなわち、図１ｃの１１７で示すビジーバーストリソース番号１における受信電力がしきい値を下回っているとき、トランスミッタは４３２で示すようにこのビジーバーストに関連する次のリソースにおいてメッセージの送信を始める。トランスミッタは、十分強い予約インジケータ又はビジーバーストが存在せず、したがって対応するデータリソースが空いているので、このリソースの使用を始めることができる。一方、図３のコントローラ３０４が、ビジーバーストが存在すると判断するとき（Ｂ．Ｂ．  あり）、コントローラ３０４はビジーバーストスロット内のビジーバーストを解釈実行し（４３４）、干渉除去情報を抽出する。干渉除去情報として干渉許可インジケータ１１６のみが存在する一実施態様において、コントローラ３０４は、干渉許可インジケータ（ＩＡＩ）が１にセットされているか、又は０にセットされているかを判断する。１にセットされている場合、メッセージは４３６で示されるデータリソースにおいて送信される。０にセットされている場合、４３８で示すように、前のデータリソースが同じトランスミッタＴｘｓによって用いられたか否かのチェックが行われる。トランスミッタが現在検討されているビジーバーストに関連する前のデータリソースを用いていなかったと判断されると、トランスミッタは４４０で示すように、最終的に、データリソースを用いないと判断する。
【００５１】
一方、ビジーバーストトランスミッタがステップ４３８において、該トランスミッタが実際にこのビジーバーストに関連する前のデータリソースを用いていたと判断する場合、干渉するトランスミッタは、４４２で示すようにビジーバーストスロットに関連するデータリソースにおいてメッセージを送信する。ステップ４４２は、脆弱なレシーバ２００が図４ａのステップ４１４を実行したシナリオである。換言すれば、干渉しているトランスミッタは、以前の干渉許可インジケータが１にセットされていたことに起因して、データリソースにおいて送信を始めた。次に、この干渉しているトランスミッタの送信の開始に起因して、さらなる干渉が、脆弱なレシーバがこの干渉にまだ対処することができるが、さらなる一切の干渉に対処することができないほど高くなった。したがって、図４ａのステップ４１４において干渉許可インジケータが０にセットされた。一方、このことはこのレシーバに関する問題を何ら意味するものではないが、当然ながら、包含領域に入るさらなるレシーバに対するデータリソースの拒否を意味している。包含領域に到来するこのさらなるレシーバは、ステップ４３８において、該レシーバが前にデータリソースを用いていないと判断し、したがって、このさらなるトランスミッタはステップ４４０に進み、データリソースを用いないことになる。この手順によって、脆弱なレシーバが包含領域内の干渉を許可することができるのみでなく、重要なことには、包含領域内の干渉しているレシーバの数を制御することができることが確実になる。データトランシーバ内の干渉除去装置１０４の干渉除去特性に依拠して、脆弱なレシーバ２００は包含領域内の最も強い干渉体２０２のみ又は最も強い干渉体及び２番目に強い干渉体のみを許可することができる。
【００５２】
続いて、本発明のさらなる実施形態が検討される。この実施形態では、干渉除去情報として、干渉許可インジケータＩＡＩが含まれるのみでなく、さらに、１１８で示されるビジーバーストリソース番号３がビジーバーストに含まれる。この目的のために、図４ｃに示すように、ビジーバーストは、図１ｃの１１６、１１７、及び１１８で示されるビジーバーストリソース１、２、３をチェックするために解析される（４３４）。ステップ４５０において、ビジーバーストリソース番号１におけるＰｘに対応するビジーバースト電力が測定される。言い換えれば、レシーバは、ビジーバーストの第１のリソース１１７内にどれだけの電力があるかを測定し、当然ながら、このリソース内の電力はこのリソース内のビジーバーストトランスミッタ電力Ｐｘによって決まる。したがって、ビジーバーストレシーバは、電力Ｐｘではなく、当然ながら大幅に小さな値を検出することができるので、Ｐｘは（ステップ４５０に）含まれる。ビジーバーストリソース番号１における検出された電力がしきい値より低い場合、図４ｂのステップ４３２に対応して、データリソースが用いられる。一方、ビジーバーストリソース番号１において検出された電力がしきい値より大きいとき、これは干渉しているトランスミッタが除外領域内にあることを意味する。ここで、ステップ４５２が実行され、ステップ４５２において、コントローラ３０４はビジーバーストリソース番号２内の値、すなわち干渉許可インジケータを解釈実行する。干渉許可インジケータがゼロにセットされているとき（図４ｂの左分岐に対応する）、干渉許可インジケータが前のスロットにおいて１に等しかったか否かのチェック４３８が行われる。この質問が「ＮＯ」と回答される場合、ステップ４４０で示されるようにリソースは用いられない。これは、レシーバが（さらなる）干渉を除去することができないことを意味する。一方、ステップ４３８におけるこの質問が「ＹＥＳ」と回答される場合、これは、レシーバが以前のデータスロットにおいてこのトランスミッタの干渉を許容していたことを意味する。この状況を考慮して、干渉しているトランスミッタコントローラ３０４はステップ４５８に進み、ステップ４５８において、ビジーバーストリソース番号３におけるＰＩＮに対応するビジーバースト電力が検出される。このため、干渉しているトランスミッタは、該干渉しているトランスミッタが包含領域内にあるか否かをチェックする。ビジーバーストリソース番号３におけるビジーバースト電力がしきい値よりも大きいとき、４６０で示されるようにデータリソースが用いられる。これは、干渉しているトランスミッタが包含領域内にあり、干渉電力が十分強いので、脆弱なレシーバが図１ａの干渉除去装置１０４によって干渉除去の実行に成功することができることを意味する。一方、図１ｃの１１８において示されるビジーバーストリソース番号３における検出されたビジーバースト電力がしきい値よりも低いと判断される場合、これは、干渉しているトランスミッタが包含領域の外側にあるが除外領域の内側にあり、すなわち図２の２０１で示される中間エリアにあることを意味する。このとき、４６２で示されるように、データリソースは用いられない。
【００５３】
図４ｃの実施態様において、潜在的に干渉しているトランスミッタが包含範囲内にあるか否かを判断するために包含範囲のシグナライゼーションが用いられる。このため、ステップ４６０とステップ４６２との間で判定するための単純なしきい値比較が実行される。一方、本発明の別の実施態様の態様によれば、１１８で示されるビジーバーストリソース番号３における包含領域のシグナライゼーションは干渉しているレシーバにおけるレート制御にも用いることができる。この実施形態は図４ｄに示されている。換言すれば、脆弱なレシーバは、該レシーバが送信を開始することができることを、近接して離間されたレシーバにシグナリングすることができるのみでなく、この干渉しているレシーバに対しレート制御を実行することもできる。これは、ビジーバーストリソース３におけるシグナライゼーションに依拠して、干渉しているトランスミッタがそのデータレートを増大又は減少させることを意味する。
【００５４】
図４ｄは、そのような一実施形態を示しており、ここでは、この実施形態を明確にするために、図４ｃにおける他の周囲のブロックへの接続を有するステップ４５８が繰り返されている。ステップ４５８における検出の結果として、電力がしきい値よりも大きいことを示す回答がもたらされるとき、干渉しているトランスミッタ内のコントローラ３０４がステップ４７０を実行し、ステップ４７０において、ビジーバーストリソース番号３におけるビジーバースト電力が、ビジーバーストリソース番号３における前のビジーバースト電力と比較される。ビジーバーストリソース番号３におけるビジーバースト電力が前の時点から現時点まで増大したと判断されるとき（この選択肢は４７２ａで示されている）、干渉しているトランスミッタはそのデータレートを増大させる（４７４）。干渉しているトランスミッタは、脆弱なレシーバが満足のいく状況にあり、さらなる干渉を許容することができること（図４ａのステップ４０６に対応する）に起因してこれを行うことができる。一方、脆弱なレシーバがビジーバースト電力を減少させたとき、すなわち包含領域を小さくしたとき、送信している干渉体は、ステップ４７６に概説されるようにそのデータレートを減少させる。一方、双方の場合において、データリソースは４６０で示されるようにまだ用いられるが、より高いか又はより低いデータレートで用いられる。このため、脆弱なレシーバは包含領域内の干渉しているトランスミッタの送信を許可するか又は許可しないことができるのみでなく、干渉しているトランスミッタのデータレート及び干渉しているトランスミッタの数を制御することもできる。
【００５５】
続いて、本発明をステップごとに説明するために図５ａ〜図５ｆを図面ごとに検討する。
【００５６】
図５ａにおいて、干渉制限された無線ネットワークが示されている。該ネットワークにおいて、トランスミッタＴｘｎがレシーバＲｘｎと通信する。いくつかの送信が同時に生じる場合、干渉は達成可能なスペクトル効率に重大な影響を与える場合がある。このため、本発明は、スペクトル効率を最大にしながら干渉を軽減するという目標に取り組む。
【００５７】
図５ｂは、除外範囲がアクティブなレシーバＲｘ１の周りに確立された状況を示している。トランスミッタＴｘ２は、レシーバＲｘ１に対するその干渉Ｉ２１が干渉閾値Ｉｘを上回っているので送信することができない。除外範囲は、図１ｃの１１７で示されるビジーバーストリソース番号１によって決定される。
【００５８】
図５ｃは、レシーバＲｘ１が干渉Ｔｘ２を除去することが可能な干渉除去シナリオを示している。このため、Ｔｘ２とＲｘ２との間の二次リンクはアクティブのままであることができる。この結果、スペクトル再利用の増大によりスペクトル効率が向上する。
【００５９】
図５ｄは、図５ｂに類似した状況を示している。該状況において、除外範囲がアクティブなレシーバＲｘ１の周りに確立され、干渉除去がないと、空間再利用が低減する、すなわち単位エリアあたりの同時にアクティブなリンク数が低減することになる。
【００６０】
図５ｅは、図５ｃに類似した状況を示しており、該状況において、レシーバＲｘ１はＴｘ２の干渉を除去することが可能である。レシーバの能力が考慮に入れられる。レシーバＲｘ１は限られた数のリンク、通常１つ又は２つのリンクのみを除去することができ、Ｔｘ２とＲｘ２との間の二次リンクのレートＲ２がＲｘ１には高すぎる場合がある状況も存在し得る。これは特に、第２のレシーバＲｘ２がＴｘ２に極めて近接している場合である。
【００６１】
このため、図５ｆは、干渉回避及び干渉除去が組み合わされた状況を示している。包含範囲が規定され、包含範囲内の送信のみが許可される。すべての他の同時送信は除外領域の外側になくてはならない。
【００６２】
図６ａは、部分ＳＩＣ（最も強い干渉体除去）の合計レートを実線で示し、純粋なビジーバースト干渉回避を点線で示している。比較は異なるノード密度について行われている。対象とするリンクが干渉しているリンクよりも弱いときのみ干渉除去が実行される場合、部分ＳＩＣが達成される。予期されるように、部分ＳＩＣは、純粋なビジーバースト法よりも良好な或るレート性能を提供するが、図６ｂとの比較から見て取ることができるように、部分ＳＩＣはＩＤＬＳＩＣよりも悪い。
【００６３】
図６ｂは、異なるノード密度について部分ＳＩＣ及びビジーバースト干渉回避を複合したものの合計レート（実線）と比較した、ＳＩＣ及びビジーバースト干渉回避を複合したものの合計レート（点線）を示している。ＳＩＣ及びビジーバーストを複合したものは、部分ＳＩＣ及びビジーバースト法を複合したものよりも性能が優れているが、移動デバイスにおいて特に重大な問題である、複雑度、コスト、及び電力消費に関する実施要件も、干渉除去能力の増大と共に増大する。これを考慮すると、干渉除去装置が限られた数の干渉干渉体に対してのみ干渉除去を実行することが可能になるように干渉除去を実装することが好ましく、ここでこの限られた数は好ましくは５よりも小さく、さらに好ましくは３より小さく、いくつかの他の実施形態では、干渉除去装置は最も強い干渉体のみを除去することを可能にすることができる。
【００６４】
干渉除去をＢＢ法に加える新たな解決法は以下のように要約される。
・ミニスロットのリソース要素のうちの１つにおいて送信される干渉許可フラグ（図１ｃを参照されたい）は、ＢＢ保護された領域内のさらなる干渉を許容することができるか否かを示す。アクティブなレシーバＲｘＰが既に１つの干渉しているリンクを除去している場合、ＲｘＰは干渉許可フラグをゼロにセットする。次に、包含範囲内にある追加の干渉リンクは、ＲｘＰが追加の干渉をこれ以上取り消すことができないことを通知され、したがって送信を控える。
・干渉体を正確に取り消すために、アクティブなレシーバＲｘｐにおいて干渉信号を正しく復号することが重要である。この条件は、レシーバフィードバックミニスロットの第３のリソース要素における可変電力ＰＩＮを通じて強制することができる（図２を参照されたい）。換言すれば、潜在的なトランスミッタを除去することができるので該潜在的なトランスミッタをアクティブにすることができる、レシーバの周りの包含領域が存在する。
【００６５】
アクティブなレシーバにおける干渉信号の正しい受信を可能にし、次に該レシーバにおいて除去を実行することができるこの方法は、部分ＳＩＣと呼ばれる。
【００６６】
干渉体除去の原理は、他の干渉体、すなわち２番目に強い干渉体、３番目に強い干渉体等の除去に同様に拡張することができる。複数の除去によって干渉が少なくなることが保証され、結果として合計レートが高くなるが、提案されるシステムの複雑度も増大することに留意することが重要である。したがって、性能をレシーバ複雑度の受容可能レベルとトレードオフすることができる。
【００６７】
実施態様の主要な利点を以下のように要約することができる。
・部分ＳＩＣの干渉除去をＢＢメカニズムの干渉軽減と組み合わせる新たに提案された複合干渉管理技法は、純粋なＢＢ手法よりも高い合計レートを保証する。
・提案される複合干渉管理技法は、ＢＢ手法の核心にあるＢＢしきい値の選択に対しより敏感でない。ＢＢ手法はそのピーク性能を生かすように最適化されなくてはならないが、複合技法はしきい値の広範囲（数十ｄＢ）のピーク性能を提供する。
・広範囲のＢＢしきい値の合計レートの観点からの均一な性能は、これをより少ない高レートリンク又はより多くの低レートリンクで達成することができることを暗に意味する。この追加の柔軟性によって、ユーザの需要に従ったネットワークのより良好な調整が可能になる。
・今後の世代の無線ネットワークにおいて非常に起こり得る、より高いリンク密度環境の場合の合計レートにおける利得を改善する。
・性能を複雑度とトレードオフすることができる。すなわち、最も強い干渉体を超えた除去はより複雑なレシーバを必要とするが、これが実現可能なシナリオの場合、干渉をさらに減少させることによって、より高い合計レートを与えることができる。
【００６８】
部分ＳＩＣ法及びＢＢスキームを複合したものが、図６ａのＢＢ固定しきい値の範囲及びいくつかのノード密度について、合計レートの観点から、純粋なＢＢ手法に勝る大きな利得を与えることを実証する。さらに、合計レートの利得は、絶対値及びパーセンテージ双方の観点において、密度が高くなると高くなる。これは乏しいスペクトルリソースを共有する高密度の無線デバイスを有することになる将来の無線システムにとって重大である。新たに提案されたスキームが、ピーク合計レートを達成するようにしきい値を非常に慎重に選択することを必要とする純粋なＢＢ手法よりも、ＢＢ固定しきい値の選択に対しはるかにより感度が悪いことに留意することも重要である。
【００６９】
図６ｂにおいて見て取ることができるように、理想的なＳＩＣスキームは部分ＳＩＣよりも性能が優れているが、誤って受信された干渉信号は除去することができないので、これは実際には達成可能でない。しかしながら、プロットによれば、追加の（すなわち２番目、３番目．．．）最も強い干渉体除去によって、レシーバ構造がより複雑になることと引き換えにさらなる合計レートの利得を達成することができることが示されている。
【００７０】
装置との関係でいくつかの態様が説明されたが、これらの態様は対応する方法の記述も表し、ここでブロック又はデバイスは方法ステップ又は方法ステップの特徴に対応することが明らかである。それに類似して、方法ステップに関連して説明された態様も、対応する装置の対応するブロック又はアイテム又は特徴の記述を表す。
【００７１】
或る特定の実施態様要件に依拠して、本発明の実施形態はハードウェア又はソフトウェアにおいて実施することができる。実施態様は、電子的に読取り可能な制御信号が格納されたデジタルストレージ媒体、たとえばフロッピー（登録商標）ディスク、ＤＶＤ、ＣＤ、ＲＯＭ、ＰＲＯＭ、ＥＰＲＯＭ、ＥＥＰＲＯＭ、又はフラッシュメモリを用いて実行することができ、それらは、それぞれの方法が実行されるようにプログラム可能なコンピュータシステムと連携する（又は連携可能である）。
【００７２】
本発明によるいくつかの実施形態は、本明細書に記載される方法のうちの１つが実行されるようにプログラム可能なコンピュータシステムと連携することができる電子的に読取り可能な制御信号を有する非一時的データ担体を含む。
【００７３】
概して、本発明の実施形態は、プログラムコードを有するコンピュータプログラム製品として実装することができる。該プログラムコードは、コンピュータプログラム製品がコンピュータ上で実行されると、方法のうちの１つを実行するように動作可能である。プログラムコードは、たとえば機械可読担体上に格納することができる。
【００７４】
他の実施形態は、機械可読担体上に格納された、本明細書に記載された方法のうちの１つを実行するコンピュータプログラムを含む。
【００７５】
したがって、換言すれば、本発明の方法の一実施形態は、コンピュータプログラムがコンピュータ上で実行されるときに本明細書に記載された方法のうちの１つを実行するプログラムコードを有するコンピュータプログラムである。
【００７６】
したがって、本発明の方法のさらなる実施形態は、データ担体（又はデジタルストレージ媒体若しくはコンピュータ可読媒体）であって、該データ担体上に記録された、本明細書に記載された方法のうちの１つを実行するコンピュータプログラムを含む、データ担体である。
【００７７】
したがって、本発明の方法のさらなる実施形態は、本明細書に記載された方法のうちの１つを実行するコンピュータプログラムを表すデータストリーム又は信号シーケンスである。データストリーム又は信号シーケンスは、たとえば、データ通信接続を介して、たとえばインターネットを介して転送されるように構成することができる。
【００７８】
さらなる実施形態は、本明細書に記載された方法のうちの１つを実行するように構成又は適合された処理手段、たとえばコンピュータ又はプログラム可能な論理デバイスを含む。
【００７９】
さらなる実施形態は、本明細書に記載された方法のうちの１つを実行するコンピュータプログラムがインストールされたコンピュータを含む。
【００８０】
いくつかの実施形態では、プログラム可能な論理デバイス（たとえばフィールドプログラマブルゲートアレイ）を用いて、本明細書に記載された方法の機能のうちのいくつか又は全てを実行することができる。いくつかの実施形態では、フィールドプログラマブルゲートアレイは、本明細書に記載された方法のうちの１つを実行するためにマイクロプロセッサと連携することができる。概して、本方法は好ましくは任意のハードウェア装置によって実行される。
【００８１】
上述した実施形態は、単に本発明の原理を説明するものである。本明細書において記載される構成及び詳細の変更及び変形は当業者には明らかであることが理解される。したがって、同封の特許請求の範囲の範囲によってのみ制限され、本明細書における実施形態の記述及び説明のために提示された特定の詳細によって制限されるものではないことが意図される。
【００８２】
参考文献
１． S. Haykin、「Cognitive Radio: Brain-Empowered Wireless Communications」、IEEE Journal on Selected Areas in Communications, vol. 23, no. 2, pp. 201-220, 2005
２．P. Omiyi、H. Haas、及び、G. Auer、「Analysis of TDD Cellular Interference Mitigation Using Busy-Bursts」、IEEE Transactions on Wireless Communications, vol. 6, no. 7, pp. 2721-2731, Jul. 2007
３．B. Ghimire、G. Auer、及び、H. Haas、「Busy Bursts for Trading-off Throughput and Fairness in Cellular OFDMA-TDD」、Eurasip Journal on Wireless Communications and Networking, vol. 2009, Article ID 462396, 14 pages, 2009
４．S. Sinanovi´c、H. Burchardt、N. Serafimovski、G. Auer、及び、H. Haas、「Local Information Busy Burst Thresholding」、Proc. of the International Conference on Communications (ICC’09), Dresden, Germany, Jun. 14-18 2009
５．J. G. Andrews、「Interference Cancellation for Cellular Systems: A Contemporary Overview」、IEEE Wireless Communications Magazine, vol. 12, no. 2, pp. 19-29, April 2005
【図１ａ】
0005378471.tif 000009
【図１ｂ】
0005378471.tif 000010
【図１ｃ】
0005378471.tif 000011
【図２】
0005378471.tif 000012
【図３】
0005378471.tif 000013
【図４ａ】
0005378471.tif 000014
【図４ｂ】
0005378471.tif 000015
【図４ｃ】
0005378471.tif 000016
【図４ｄ】
0005378471.tif 000017
【図５ａ．５ｂ】
0005378471.tif 000018
【図５ｃ．５ｄ】
0005378471.tif 000019
【図５ｅ．５ｆ】
0005378471.tif 000020
【図６ａ】
0005378471.tif 000021
【図６ｂ】
0005378471.tif 000022
【図７】
0005378471.tif 000023
【図８】
0005378471.tif 000024
【図９】
0005378471.tif 000025
【図１０】
0005378471.tif 000026
【図１１】
0005378471.tif 000027